【手続補正書】
【提出日】平成17年11月22日(2005.11.22)
【手続補正１】
【補正対象書類名】明細書
【補正対象項目名】発明の名称
【補正方法】変更
【補正の内容】
【発明の名称】記録装置およびその制御方法
【手続補正２】
【補正対象書類名】明細書
【補正対象項目名】特許請求の範囲
【補正方法】変更
【補正の内容】
【特許請求の範囲】
【請求項１】  外部の複数の画像データ源それぞれと接続して通信することが可能な、少なくとも１つ以上のインターフェース手段と、
前記インターフェース手段を介して前記複数の画像データ源の内の第１の画像データ源から送られた制御コマンドを解釈するコマンド判定手段と、
前記コマンド判定手段による判定結果に基づいて、前記第１画像データ源以外の１つ以上の画像データ源に対して、対応するインターフェース手段を介して画像データの送信を要求する送信要求信号を送出する送信要求手段と
前記画像データ源が前記送信要求信号に応答して前記インターフェース手段を介して出力した画像データを入力して、入力した画像データをそのフォーマットに応じて処理して予め定めたフォーマットの記録データを生成する記録データ生成手段と、
前記記録データ生成手段の出力を入力して記録媒体上に記録し、記録された記録媒体を排出する記録手段と
を備えることを特徴とする記録装置。
【請求項２】 前記制御コマンドは、前記複数の画像データ源の内、画像データの送信要求を受信する画像データ源であって画像データを送信可能な画像データ源、を指定するための指定情報を１つ以上含み、
前記コマンド判定手段は、前記指定情報に指定された画像データ源を特定し、
前記送信要求手段は、前記特定された画像データ源に対して、対応するインターフェース手段を介して画像データの送信を要求する送信要求信号を送出する
ことを特徴とする請求項１に記載の記録装置。
【請求項３】 前記指定情報により指定された画像データ源以外からの画像データの受信を禁止する禁止手段を、さらに備える
ことを特徴とする請求項２に記載の記録装置。
【請求項４】 前記インターフェース手段を介して、少なくとも、撮像した画像信号をデジタル信号で出力するデジタル撮像装置、画像データを記憶するメモリ・カード、及びコンピュータ機器に同時に接続可能であることを特徴とする請求項１乃至３のいずれかに記載の記録装置。
【請求項５】 複数の画像データ源それぞれと通信することが可能な、少なくとも１つ以上のインターフェースを備え、当該インターフェースを介して入力した画像データをそのフォーマットに応じて処理して予め定めたフォーマットの記録データを生成し、生成した記録データに基づいて記録媒体上に記録し、記録された記録媒体を排出する記録装置における制御方法において、
前記インターフェースを介して、前記複数の画像データ源の内の第１の画像データ源から送られた制御コマンドを解釈するコマンド判定ステップと、
前記コマンド判定ステップによる判定結果に基づいて、前記第１画像データ源以外の複数の画像データ源に対して、対応するインターフェースを介して画像データの送信を要求する送信要求信号を送出する送信要求ステップと
前記送信要求ステップで送出先とされた画像データ源から送出される画像データを受信して、入力した画像データのフォーマットに応じて処理して予め定めたフォーマットの記録データを生成する記録データ生成ステップと、
前記記録データ生成ステップで生成された記録データに基づいて記録媒体上に記録し、記録された記録媒体を排出するステップ
を備えることを特徴とする記録装置の制御方法。
【請求項６】 前記制御コマンドは、前記複数の画像データ源の内、画像データの送信要求を受信する画像データ源であって画像データを送信可能な画像データ源、を指定するための指定情報を１つ以上含み、
前記コマンド判定ステップでは、前記指定情報に指定された画像データ源を特定し、前記送信要求ステップでは、前記特定された画像データ源に対して、対応するインターフェースを介して画像データの送信を要求する送信要求信号を送出する
ことを特徴とする請求項５に記載の記録装置の制御方法。
【請求項７】 前記記録データ生成ステップは、前記指定情報により指定された画像データ源以外からの画像データを受信しないことを特徴とする請求項５または６に記載の記録装置の制御方法。
【請求項８】 前記複数の画像データ源は、少なくとも撮像した画像信号をデジタル信号で出力するデジタル撮像装置、画像データを記憶するメモリ・カード、及びコンピュータ機器を含むことを特徴とする請求項５乃至７のいずれかに記載の記録装置の制御方法。
【請求項９】 第１の画像データ源から送られた制御コマンド解釈するコマンド判定ステップと、
前記コマンド判定ステップによる解釈結果に基づいて、第２の画像データ源に対して、画像データの送信を要求する送信要求ステップと
前記第２の画像データ源が画像データの送信の要求に応答して出力した画像データを入力して、入力した画像データに基づき記録を行う記録ステップと
を備えることを特徴とする記録装置の制御方法。
【請求項１０】 請求項５乃至９のいずれかに記載の制御方法を実行するプログラムを記憶したことを特徴とするコンピュータ読取り可能な記憶媒体。
【請求項１１】 請求項５乃至９のいずれかに記載の制御方法を実行することを特徴とするプログラム。
【請求項１２】 第１の画像データ源から送られた制御コマンド解釈するコマンド判定手段と、
前記コマンド判定手段による解釈結果に基づいて、第２の画像データ源に対して、画像データの送信を要求する送信要求手段と
前記第２の画像データ源が画像データの送信の要求に応答して出力した画像データを入力して、入力した画像データに基づき記録を行う記録手段と
を備えることを特徴とする記録装置。
【手続補正３】
【補正対象書類名】明細書
【補正対象項目名】０００６
【補正方法】変更
【補正の内容】
【０００６】
また、従来におけるカメラとプリンタをダイレクトに接続して印刷する場合に、カメラ側でプリンタに適したフォーマットに処理して出力しているのが通常であり、また、カメラ側から送る画像データを処理するプリント・データ変換ソフトをプリンタ側に送り、プリンタ側で送られたデータをプリント・データ変換ソフトにより印刷処理可能なプリント・データに変換し、このプリント・データに基づき該データに対応する画像の印刷出力を実行することも行われている（例えば、特許文献４参照）
【手続補正４】
【補正対象書類名】明細書
【補正対象項目名】００１５
【補正方法】変更
【補正の内容】
【００１５】
【課題を解決するための手段】
本発明は、このような目的を達成するために、請求項１に記載の発明は、記録装置であって、外部の複数の画像データ源それぞれと接続して通信することが可能な、少なくとも１つ以上のインターフェース手段と、前記インターフェース手段を介して前記複数の画像データ源の内の第１の画像データ源から送られた制御コマンドを解釈するコマンド判定手段と、前記コマンド判定手段による判定結果に基づいて、前記第１画像データ源以外の１つ以上の画像データ源に対して、対応するインターフェース手段を介して画像データの送信を要求する送信要求信号を送出する送信要求手段と、前記送信要求信号に応答して前記画像データ源が前記インターフェース手段を介して出力した画像データを入力して、入力した画像データをそのフォーマットに応じて処理して予め定めたフォーマットの記録データを生成する記録データ生成手段と、前記記録データ生成手段の出力を入力して記録媒体上に記録し、記録された記録媒体を排出する記録手段とを備えることを特徴とするものである。
【手続補正５】
【補正対象書類名】明細書
【補正対象項目名】００７５
【補正方法】変更
【補正の内容】
【００７５】
〔実施態様１〕
外部の複数の画像データ源それぞれと接続して通信することが可能な、少なくとも１つ以上のインターフェース手段と、
前記インターフェース手段を介して前記複数の画像データ源の内の第１の画像データ源から送られた制御コマンド解釈するコマンド判定手段と、
前記コマンド判定手段による判定結果に基づいて、前記第１画像データ源以外の１つ以上の画像データ源に対して、対応するインターフェース手段を介して画像データの送信を要求する送信要求信号を送出する送信要求手段と
前記画像データ源が前記送信要求信号に応答して前記インターフェース手段を介して出力した画像データを入力して、入力した画像データをそのフォーマットに応じて処理して予め定めたフォーマットの記録データを生成する記録データ生成手段と、
前記記録データ生成手段の出力を入力して記録媒体上に記録し、記録された記録媒体を排出する記録手段と
を備えることを特徴とする記録装置。
【手続補正６】
【補正対象書類名】明細書
【補正対象項目名】００７６
【補正方法】変更
【補正の内容】
【００７６】
〔実施態様２〕
前記制御コマンドは、前記複数の画像データ源の内、画像データの送信要求を受信する画像データ源であって画像データを送信可能な画像データ源、を指定するための指定情報を１つ以上含み、
前記コマンド判定手段は、前記指定情報に指定された画像データ源を特定し、
前記送信要求手段は、前記特定された画像データ源に対して、対応するインターフェース手段を介して画像データの送信を要求する送信要求信号を送出する
ことを特徴とする実施態様１に記載の記録装置。
【手続補正７】
【補正対象書類名】明細書
【補正対象項目名】００７８
【補正方法】変更
【補正の内容】
【００７８】
〔実施態様４〕
前記インターフェース手段を介して、少なくとも、撮像した画像信号をデジタル信号で出力するデジタル撮像装置、画像データを記憶するメモリ・カード、及びコンピュータ機器に同時に接続可能であることを特徴とする実施態様１乃至３のいずれかに記載の記録装置。